(57)【要約】【課題】配置された物品が落下しにくく、物品が落下したとしても物品が画像形成装置の床下に入りにくいものとする。【解決手段】左右の幅方向に用紙を搬送して画像を形成する画像形成装置１００において、画像形成装置本体の上部に前記画像形成装置本体より手前側に突出する突出棚部２１０，２２０，２３０を形成し、突出棚部２１０，２２０，２３０の上面には、幅方向に延設されると共に、手前側に立ち上がり部３１２が形成された凹部３１１を備えた物品配置部３１０，３２０，３３０を形成した【選択図】図１
2008304856.tif 000002
【特許請求の範囲】
【請求項１】
左右の幅方向に用紙を搬送して画像を形成する画像形成装置において、
画像形成装置本体の上部に前記画像形成装置本体より手前側に突出する突出棚部を形成し、
前記突出棚部の上面に幅方向に延設されると共に、手前側に立ち上がり部が形成された凹部を備えた物品配置部を形成したことを特徴とする画像形成装置。
【請求項２】
前記物品配置部の底面は略平面状に形成されていることを特徴とする請求項１記載の画像形成装置。
【請求項３】
前記物品配置部の断面は、下方に向け凹の円弧形状であることを特徴とする請求項１又は２記載の画像形成装置。
【請求項４】
前記物品配置部は、前記画像形成装置の手前側上面カバーと一体に成型されていることを特徴とする請求項１乃至３のいずれか記載の画像形成装置。
【請求項５】
前記物品配置部には、画像形成装置の少なくとも手前側上面と同一平面となる可動蓋を備えることを特徴とする請求項1乃至４のいずれか記載の画像形成装置。
【請求項６】
前記可動蓋には、寸法測定用の目盛りを表示したことを特徴する請求項５記載の画像形成装置。
【請求項７】
前記可動蓋には、その裏面に紙挟み用のクリップ装置を配置したことを特徴とする請求項５記載の画像形成装置。
【発明の詳細な説明】
【技術分野】
【０００１】
本発明は、画像形成装置に係り、特に左右の幅方向に用紙を搬送して画像を形成する画像形成装置に関する。
【背景技術】
【０００２】
画像形成装置として、特許文献１には、画像形成装置の後方もしくは、中央部にクリップやペン等を置くテーブル面部を設けたものが開示されている。即ち、特許文献１には、原稿排紙トレイの複写機本体の背面側の部位を排紙面よりも突出させて後部壁部を形成し、排紙面に臨む壁面を原稿排紙トレイへの原稿排出方向に沿わせ、その上縁を複写機本体の背面側へ延設してテーブル面部を形成し、テーブル面部は、隣接するＡＤＦの部位の上面と略面一とし、テーブル面部をクリップやペン等を置くスペースとした画像形成装置が記載されている。
【０００３】
また、特許文献２には、画像形成装置本体の上部に配置され、前後方向に延在する凹状の受け皿が開示されている。即ち、特許文献２には、画像形成装置本体上に備えられた小物入れを、機械本体から取り外し自在に配設し、小物入れの受け皿の中央に取っ手を兼ねた設け、クリップ及びステイプル針を分別収納するものとし、小物入れの形状は、底面から滑らかな曲線構造で傾けるだけで、収納物を簡単に取り出すことできる画像形成装置が記載されている。
【特許文献１】特開２０００−１５９４１５号公報
【特許文献２】特開２００５−４３６３３号公報
【発明の開示】
【発明が解決しようとする課題】
【０００４】
しかしながら、両画像形成装置共、特別の落下対策が施されていないため、テーブル面及び受け皿から、クリップやペン等の物品が滑ったり転がったりした場合に容易に画像形成装置から落下しやすいという問題がある。
【０００５】
また、特許文献１の画像形成装置は、原稿等の物品を配置するテーブル面を原稿排紙トレイの背面側の部位を排紙面より突出させて形成するものであり、物品は画像形成装置本体の投影面内に配置されるものであり、また、特許文献２に記載の画像形成装置にあっては、受け皿を特許文献１のものと同様に画像形成装置本体の投影面上に形成したものである。このため、両者共、物品は画像形成装置の側壁に沿って落下するようになるため、画像形成装置の近傍に着地し画像形成装置の床下に入りやすい構造となっている。
【０００６】
そこで本発明は、配置された物品が落下しにくく、物品が落下したとしても物品が画像形成装置の床下に入りにくい構造を備えた画像形装置を提供することを目的とする。
【課題を解決するための手段】
【０００７】
請求項１の発明は、左右の幅方向に用紙を搬送して画像を形成する画像形成装置において、画像形成装置本体の上部に前記画像形成装置本体より手前側に突出する突出棚部を形成し、前記突出棚部の上面に幅方向に延設されると共に、手前側に立ち上がり部が形成された凹部を備えた物品配置部を形成した画像形成装置である。
【０００８】
請求項２の発明は、請求項１記載の画像形成装置において、前記物品配置部の底面は略平面状に形成されていることを特徴とする。
【０００９】
請求項３の発明は、請求項１又は２記載の画像形成装置において、前記物品配置部の断面は、下方に向け凹の円弧形状であることを特徴とする。
【００１０】
請求項４の発明は、請求項１乃至３のいずれか記載の画像形成装置において、前記物品配置部は、前記画像形成装置の手前側上面カバーと一体で成型されていることを特徴とする。
【００１１】
請求項５の発明は、請求項1乃至４のいずれか記載の画像形成装置において、前記物品配置部には、画像形成装置の少なくとも手前側上面と同一平面となる可動蓋を備えることを特徴とする。
【００１２】
請求項６の発明は、請求項５記載の画像形成装置において、前記可動蓋には、寸法測定用の目盛りを表示したことを特徴する。
【００１３】
請求項７の発明は、請求項５記載の画像形成装置において、前記可動蓋には、その裏面に紙挟み用のクリップ装置を配置したことを特徴とする。
【発明の効果】
【００１４】
本発明に係る画像形成装置によれば、物品配置部は手前側には立ち上がり部が形成された凹部としているから物品の落下が防止されると共に、物品配置部は画像形成装置本体から手前側に突出形成された突出棚部に形成されているため、物品が物品配置部から落下したとしても、画像形成装置から離れた個所に着地し、物品が画像形成装置の下部に入り込むとことを防止することができる。
【発明を実施するための最良の形態】
【００１５】
以下本発明を実施するための最良の形態としての実施例を図面に基づいて説明する。
【実施例】
【００１６】
以下本は発明に係る画像形成装置について図１乃至図７に基づいて説明する。まず画像形成装置１００について説明する。図１は画像形成装置の構成を示す概略斜視図である。本例に係る画像形成装置１００は、業務用の大型画像形装置であり、左右の幅方向に用紙を搬送して画像を形成する。画像形成装置１００は、図１中右から、大量給紙ユニット１１０、１２０、画像形成部１３０、合紙挿入ユニット１４０、出力排紙ユニット１４５を備えている。
【００１７】
大量給紙ユニット１１０の上部には、手差給紙部１５０、原稿排紙部１６０が配置されている。また、大量給紙ユニット１２０の上部には自動原稿読取装置１７０が配置され、画像形成部１３０の上部には操作表示部１８０及びトナー補給ユニット２００が配置されている他、画像形成部１３０には給紙トレイ１９０が配置されている。
【００１８】
大量給紙ユニット１１０、１２０の上部には、大量給紙ユニット１１０、１２０の手前側向け突出して突出棚部２１０、突出棚部２２０が形成され、画像形成部１３０の上部にはオペレータ側である手前方向に向け、突出棚部２３０が形成されている。
【００１９】
そして、突出棚部２１０の上面には物品配置部３１０が、突出棚部２２０の上面には物品配置部３２０が、突出棚部２３０の上面には物品配置部３３０が形成されている。本実施例に係る業務用の画像形成装置では、オペレータは画像形成装置１００の前面に位置し、画像形成指示書（オーダーシート）と、原稿、試し刷り紙（出力紙）を見比べながら、原稿や試し刷り紙（出力紙）に校正結果や覚え書きを書き込み、それを見ながら操作表示部１８０で画像形成装置への指示操作を行う。原稿セット、原稿取り出し、操作表示部操作、出力紙取り出しなどの各操作に応じ、オペレータの位置は左右方向の広い範囲に渡り、その時々に必要な操作を行う。本例ではこのオペレータの移動に対応して広い範囲に物品配置部を配置している。また、これらの突出棚部２１０、突出棚部２２０、突出棚部２３０は、大量給紙ユニット１１０、１２０、画像形成部１３０の手前側上面カバーと一体で成型されている。このため、画像形成装置は製造コストが安く、また製造工程も短縮できる。
【００２０】
次に物品配置部の構成について説明する。３つの物品配置部３１０，３２０，３３０は同一の構成を備えるので、物品配置部３１０について説明する。図２は物品配置部の構成を示す画像形成装置の一部拡大斜視図、図３は物品配置部の構成を示す図２中のＡ−Ａ線に相当する断面図である。
【００２１】
物品配置部３１０は突出棚部２１０の左右の幅方向に形成され、校正用の鉛筆、ステープラの針等の物品を配置しやすく、また取り出しやすく更に物品が落ちにくいように構成される。物品配置部３１０は、突出棚部２１０の上面壁部２１１の一部を下に凸となる円弧状の凹部３１１を形成したものである。即ち、凹部３１１の底部は略平面状をなし、その手前側及び奥側には立ち上がり部３１２，３１３が形成されている。
【００２２】
本実施例では、物品配置部３１０，３２０，３３０は画像形成装置１００の左右方向に渡り広い範囲に渡り設けられているため、オペレータの移動位置に対応して、校正用の赤青鉛筆や文具の置き場所として使うのに便利で作業効率がよい。
【００２３】
また、本例に係る物品配置部３１０，３２０，３３０は、大量給紙ユニット１１０、１２０、画像形成部１３０から手前側に突出形成された突出棚部２１０，２２０，２３０に設けられているため、万一鉛筆等が落下しても画像形成装置の下方に入り込みにくい。校正用の赤青鉛筆や色鉛筆は断面円形状のものが多く、単なる平面上では転がり、落下しやすい。落下した場合鉛筆の芯が折れ、オペレータの作業効率は悪くなる。また鉛筆が落下して画像形成装置の下方に入り込み取り出せなくなる場合も多く、これもオペレータの作業効率低下となる。
【００２４】
物品の落下について説明する。図４は画像形成装置から落下する物品の状態を示す模式図である。突出棚部２１０が形成されていないとすると、鉛筆は位置ａ１から、床の位置ａ２に落ち、画像形成装置１００の下部位置ａ３に転がる場合が多い。このとき、画像形成装置は重量があり、容易には動かせず、画像形成装置の下に転がりこんだ、例えば鉛筆は取り出せないことがある。
【００２５】
これに対して本例では、位置ａ１より手前側の位置ｂ１から落下した鉛筆は凹部３１１から移動する際の勢いで手前側の位置ｂ２に落下し、ｂ3の方向に転がることになる。この場合、画像形成装置の下に転がる確率は、該突出部のない場合と比べ更に小さいものとできる。
【００２６】
本例では、左右方向に延在する平面状の凹部と、凹部以外の先方の凸部で形成される部分の断面は、下側に凸の円弧形状となっている。このため、物品配置部３１０に配置された鉛筆は1本でも複数本でも、凹円弧形状の中心部に集まり、掴みやすく且つ手探りでも鉛筆を取り出せて作業効率がよい。また校正や、各種操作、用紙ハンドリングなどには、校正用の赤青鉛筆や色鉛筆の他、鉛筆、水性ペン、ステープラ、カッター、テープ、のり、はさみなどの文具類も使用される。左右方向に延在する物品配置部には、赤青鉛筆や色鉛筆以外にも上記の各種文具類も置くことができ、転がりやすい形状のものも、赤青鉛筆や色鉛筆同様に、落下が左右方向の広い範囲に渡り防止されるとともに、万一落下しても画像形成装置の下方に入り込みにくいものとできる。また、左右方向に延在する平面状の凹部と、凹部先方の凸部で形成される部分の断面は、凹円弧形状となっており、そこに置かれた文具も、凹円弧形状の中心部に集まり、掴みやすく且つ手探りでも鉛筆等の文具を取り出せて作業効率がよい。
【００２７】
なお、物品配置部３１０，３２０，３３０の断面形状は、円弧状に限られることはなく適宜変更することができる。図５（ａ）、（ｂ）、（ｃ）、（ｄ）は物品配置部の形状の変形例を示す断面図である。図５（ａ）に示す物品配置部４１０は、底面４１１を平面とし、前後の立ち上がり部４１２、４１３を斜面となる平面としたもの、図５（ｂ）に示す物品配置部４２０は、底面４２１を平面とし、前後の立ち上がり部４２２、４２３を弧面状としたもの、図５（ｃ）に示す物品配置部４３０は、底面４３１を平面とし、前後の立ち上がり部４３２、４３３を平面の斜面状としたもの、図５（ｄ）に示す物品配置部４４０は、底面４４１を平面とし、前後の立ち上がり部４４２、４４３を斜面と弧形の複合形状としたものである。
【００２８】
次に本発明の第２の実施例について説明する。図６は第２の実施例に係る画像形成装置を示す断面図、図７（ａ）（ｂ）は第２の実施例に係る画像形成装置の使用例を示す斜視図である。本例に係る画像形成装置１００は、図６及び図７（ａ）に示すように、突出棚部２１０に設けた物品配置部５１０には稼働蓋である蓋部材５２０を配置している。なお、物品配置部５１０は、凹部５１１、立ち上がり部５１２,５１３を備えている。
【００２９】
本例では、蓋部材５２０は、突出棚部２１０の上面壁部２１１と同一面となるよう形成されており、立ち上がり部５１２,５１３の上部には、蓋部材５２０の係止部５１４，５１５が凹設されている。蓋部材５２０は、嵌め込み式として、上面壁部２１１と別体とすることができるほか、図示しないヒンジ装置によって上面壁部２１１に回動自在に配置することができる。
【００３０】
本例によれば、図７（ｂ）に示すように、蓋部材５２０で５１０を覆った状態で、原稿紙、コピー用紙、プリント用紙などの用紙５３０をさばく作業を行う作業スペースを確保することができる。従来、用紙のハンドリングスペースがないため、別のテーブルなどに置かざるを得ず、不便で作業効率が悪かったことを改善し、作業効率が向上する効果がある。尚、蓋部材５２０は樹脂成型の他、板材、押し出し成型材などで製作することができる。
【００３１】
尚、蓋部材５２０の上面には用紙サイズや画像形成（プリントやコピー）結果の寸法などを計測できるメジャーを成型や印刷などにより表示できる。また、蓋部材５２０の上面には、一時的に例えば鉛筆などの物品を安定的に配置するため波型断面形状を施すこともできる。また、蓋部材５２０には、その裏面に作業指示書やメモをクリップできる紙挟みを設けることができる。
【００３２】
以上説明したように、実施例に係る画像形成装置によれば、鉛筆等の物品の落下が防止されるとともに、万一物品が落下しても画像形成装置の下方に入り込みにくいという効果を有する。
【００３３】
また、物品配置部の凹部を下に凸な円弧形状としているので、物品配置部に配置された物品、特に鉛筆は1本でも複数本でも、物品配置部の円弧形状の中心部に集まり、掴みやすく且つ手探りでも鉛筆を取り出せて作業効率がよい。
【００３４】
更に、物品配置部の上面に、画像形成装置上面と同一平面を形成する可動蓋を設けることにより、コピー用紙、プリント用紙などの作業スペースを確保することができ、従来、用紙のハンドリングスペースがないため、別のテーブルなどに置かざるを得ず、不便で作業効率が悪かったことを改善し、作業効率が向上する効果がある。可動としているので、上述した物品配置部としての機能効果も併せ持つことができる。
【００３５】
そして、物品配置部を画像形成装置の手前側上面カバーと一体で成型しているので、画像形成装置の製造コストを押さえることができる他、その製造工程も短縮することができる。
【図面の簡単な説明】
【００３６】
【図１】画像形成装置の構成を示す概略斜視図である。
【図２】物品配置部の構成を示す画像形成装置の一部拡大斜視図である。
【図３】物品配置部の構成を示す図２中のＡ−Ａ線に相当する断面図である。
【図４】画像形成装置から落下する物品の状態を示す模式図である。
【図５】（ａ）、（ｂ）、（ｃ）、（ｄ）は物品配置部の形状の変形例を示す断面図である。
【図６】第２の実施例に係る画像形成装置を示す斜視図である。
【図７】（ａ）、（ｂ）は第２の実施例に係る画像形成装置の使用例を示す図斜視図である。
【符号の説明】
【００３７】
１００  画像形成装置
１１０  大量給紙ユニット
１２０  大量給紙ユニット
１３０  画像形成部
１４０  合紙挿入ユニット
１４５  出力排紙ユニット
１５０  手差給紙部
１６０  原稿排紙部
１７０  自動原稿読取装置
１８０  操作表示部
１９０  給紙トレイ
２００  トナー補給ユニット
２１０  突出棚部
２１１  上面壁部
２２０  突出棚部
２３０  突出棚部
３１０  物品配置部
３１１  凹部
３１２，３１３  立ち上がり部
３２０  物品配置部
３３０  物品配置部
４１０  物品配置部
４１１  底面
４１２、４１３  立ち上がり部
４２０  物品配置部
４２１  底面
４２２、４２３  立ち上がり部
４３０  物品配置部
４３１  底面
４３２、４３３  立ち上がり部
４４０  物品配置部
４４１  底面
４４２、４４３  立ち上がり部
５１０  物品配置部
５１１  凹部
５１２，５１３  立ち上がり部
５１４，５１５  係止部
５２０  蓋部材
５３０  用紙
【図１】
2008304856.tif 000003
【図２】
2008304856.tif 000004
【図３】
2008304856.tif 000005
【図４】
2008304856.tif 000006
【図５】
2008304856.tif 000007
【図６】
2008304856.tif 000008
【図７】
2008304856.tif 000009